【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
自律型の玩具ロボットであって、
筐体を有する自走式のロボット本体であって、該筐体の中では、電力デバイス、センサ、プログラムされたプロセッサを含む主電子装置、スピーカを含むオーディオ再生サブシステム、及び推進サブシステムが、統合されると共に一緒に動作し、その結果として、前記プログラムされたプロセッサは、前記センサを使用して外部刺激を検出し、且つ、それに呼応して、ｉ）前記ロボット本体を移動させるように力を発生させるための前記推進サブシステム又は、ｉｉ）音を作り出すための前記オーディオ再生サブシステムの１つに対して、そうするための外部的な実時間のユーザコマンドを待つことなく、自動的に信号を送る、自走式のロボット本体、
を備え、
前記ロボット本体の前記筐体の外側表面は、外側カバーの内側表面に一致するような形状をしており、前記外側カバーは、前記外側表面を覆うべく、前記筐体上に取り付けられ、且つ、その後、前記筐体から除去されることが可能であり、且つ、
前記主電子装置は、前記筐体上に外側カバーが取り付けられることに呼応して、識別情報を検出することになっており、且つ、
前記識別情報が検出されることに呼応して、前記プログラムされたプロセッサは、前記ロボットの行動を変更するための、前記識別情報が割り当てられたロボット特性ソフトウェアプログラムに従って、再構成される、自律型の玩具ロボット。
【請求項２】
前記外側カバーと組み合わせられる請求項１に記載の玩具ロボットであって、
前記外側カバー及び、前記ロボット本体の前記筐体は、前記外側カバーが前記筐体に取り付けられ、且つ、いかなる道具を使用することなく、ユーザによって前記筐体から除去されるように、設計される、玩具ロボット。
【請求項３】
請求項２に記載の玩具ロボットであって、
前記外側カバーは、オーディオビジュアルアート作品に描かれた特性の外観と同様な外観を有する、玩具ロボット。
【請求項４】
請求項１に記載の玩具ロボットであって、
前記ロボット本体は、前記筺体の中に統合された直列通信バスインターフェース及び電源バスインターフェースを備え、これらのバスインターフェースは、有線の通信接続路及び有線の電源接続路を形成するべく、前記外側カバーの中の相手方バスインターフェースにつながることになっており、
前記ロボット本体の中の前記電源は、前記電源接続路を介して、前記外側カバーの中にある二次的な電子装置に電力を届け、且つ、
前記ロボット本体の中の前記プログラムされたプロセッサは、前記通信接続路を介して、前記外側カバーの中にある前記二次的な電子装置へコマンドを伝達する、玩具ロボット。
【請求項５】
請求項１に記載の玩具ロボットであって、
前記主電子装置は、前記外側カバーとの無線データ通信を介して、前記識別情報を検出することになっている、玩具ロボット。
【請求項６】
請求項１に記載の玩具ロボットであって、
前記主電子装置は、前記外側カバーとの有線の電流経路を介して、前記識別情報を検出することになっている、玩具ロボット。
【請求項７】
請求項１に記載の玩具ロボットであって、
前記主電子装置は、複数のロボット特性ソフトウェアプログラム又はプロフィールが格納されるメモリを備え、該メモリの各々は、オーディオデータファイル及びプログラムコードファイルを含み、前記複数のロボット特性ソフトウェアプログラムには、それぞれ、複数の識別情報が割り当てられ、
前記複数のロボット特性プログラムは、複数の異なるロボット特性の行動に首尾一貫しているように、それぞれ、前記ロボットの行動を制御するべく、前記プログラムされたプロセッサを再構成し、且つ、
前記主電子装置は、外側カバーが前記筐体上に取り付けられることに呼応して、識別情報を検出し、前記検出された識別情報を見つけるために前記メモリにおいて検索を実施し、且つ、前記検出された識別情報に割り当てられる前記ロボット特性ソフトウェアプログラムによって、前記プログラムされたプロセッサを再構成する、玩具ロボット。
【請求項８】
請求項７に記載の玩具ロボットであって、
前記複数のロボット特性ソフトウウェアプログラムの１つは、部分的には前記玩具ロボットのエンドユーザによって作られており、且つ、ｉ）前記エンドユーザの声、又は前記エンドユーザからの命令に応じて合成された音声の録音を含むオーディオデータファイル、ｉｉ）複数のコマンドの群を定義をする移動制御データ構造を含み、コマンドの各群は、前記ロボット本体を特定の方法で移動させるように、推進サブシステムに力を発生させるであろう、玩具ロボット。
【請求項９】
請求項８に記載の玩具ロボットであって、
前記複数のロボット特性ソフトウウェアプログラムの１つは、別の玩具ロボットのエンドユーザによって部分的に作られており、該エンドユーザは、自身のロボット特性ソフトウェアプログラムを他のエンドユーザと共有することを決定している、玩具ロボット。
【請求項１０】
請求項７に記載の玩具ロボットであって、
第１の外側カバーが取り付けられる第１の玩具ロボットとの近接度が高いことに呼応して、前記主電子装置が第１のロボット特性を検出する場合、前記プログラムされたプロセッサは、前記第１のロボット特性との対話のための第１の複数のルールに従って、再構成され、且つ、
第２の外側カバーが取り付けられる第２の玩具ロボットとの近接度が高いことに呼応して、前記主電子装置が第２のロボット特性を検出する場合、前記プログラムされたプロセッサは、前記第２のロボット特性との対話のための第２の複数のルールに従って、再構成され、前記第１及び第２の複数のルールは異なる、玩具ロボット。
【請求項１１】
玩具ロボットのための特性スキンであって、
自走式の玩具ロボットのロボット本体筺体の外側表面に一致するような形状をしている内側表面を有する外側カバーであって、前記外側カバーは、前記ロボット本体筺体の外側表面を覆うべく、前記ロボット本体筺体上に取り付けられ、且つ、その後、前記筺体から除去されることが可能である、外側カバー、
を備え、
前記外側カバーは、ロボット特性ソフトウェアプログラムの識別情報を提供する識別手段を備え、前記識別情報は、前記玩具ロボットによって検出され、且つ、前記ロボット特性ソフトウェアプログラムが前記玩具ロボットによって実行されることに呼応して、前記外側カバーが前記ロボット本体筺体上に取り付けられる場合はいつでも、前記ロボット特性ソフトウェアプログラムは、前記玩具ロボットの行動を変更する、特性スキン。
【請求項１２】
請求項１１に記載の特性スキンであって、
前記外側カバーは、オーディオビジュアルアート作品における特性の外観と同様な外観を有する、特性スキン。
【請求項１３】
請求項１１に記載の特性スキンであって、
前記外側カバーは、前記外側カバーが、前記ロボット本体筐体上に取り付けられ、且つ、いかなる道具を使用することなく、ユーザによって前記ロボット本体筐体から除去されるように設計される、特性スキン。
【請求項１４】
玩具ロボットであって、
筐体を有する自走式のロボット本体であって、該筐体の中には、電力デバイス、センサ、プログラムされたプロセッサを含む主電子装置、スピーカを含むオーディオ再生サブシステム、及び推進サブシステムが、統合されると共に一緒に動作し、その結果として、前記プログラムされたプロセッサは、前記センサを使用して外部的な実時間のユーザコマンドを検出し、且つ、それに呼応して、ｉ）前記ロボット本体を移動させるように力を発生させるための前記推進サブシステム、又は、ｉｉ）音を作り出すための前記オーディオ再生サブシステムの１つに対して、自動的に信号を送る、自走式のロボット本体、
を備え、
前記ロボット本体の前記筐体の外側表面は、外側カバーの内側表面に一致するような形状をしており、前記外側カバーは、前記外側表面を覆い、且つ、その後、前記筐体から除去されるべく、前記筐体上に取り付けられることが可能であり、且つ、
前記主電子装置は、外側カバーが前記筐体上に取り付けられることに呼応して、識別情報を検出することになっており、且つ、
前記識別情報が検出されることに呼応して、前記プログラムされたプロセッサは、前記ロボットの行動を変更するべく、前記識別情報が割り当てられるロボット特性ソフトウェアプログラムによって再構成される、玩具ロボット。
【請求項１５】
請求項１４に記載の玩具ロボットであって、
前記プログラムされたプロセッサは、ロボット特性ソフトウェアプログラムの識別情報が、前記外側カバーの検出された識別情報と一致するようなロボット特性ソフトウェアプログラムを求めて、該プロセッサのメモリを検索する、玩具ロボット。
【請求項１６】
請求項１４に記載の玩具ロボットであって、
前記ロボット特性ソフトウェアプログラムを実行するに際して、前記プロセッサは、異なる声、異なる移動パターン、又は異なる指示光パターンの１つによって再構成される、玩具ロボット。